(57)【要約】    【構成】  テレビジョン受信機は、複数のネットワークを示し、ネットワークを選択前と選択後では表示形態が異なるネットワーク選択表示手段と、ユーザ操作によって選択されたネットワークに対応する現在選択可能な視聴対象情報が表示されたリストを表示するリスト表示手段と、ネットワーク選択表示手段とリスト表示手段の操作方法を示す操作ガイドを表示する操作ガイド表示手段とを備える。    【効果】  ユーザが一つの操作ガイドメニュー上の任意のネットワーク選択表示手段を選択することによって、ネットワーク選択表示手段に対応するネットワークの中から所望の視聴対象情報を簡単に選択できる。【選択図】  図１
2011199885.tif 000002
【特許請求の範囲】
【請求項１】
複数のネットワークの番組を受信する受信手段を備えるテレビジョン受信機において、
前記複数のネットワークを示し、ネットワークを選択前と選択後では表示形態が異なるネットワーク選択表示手段と、
ユーザ操作によって選択されたネットワークに対応する現在選択可能な視聴対象情報が表示されたリストを表示するリスト表示手段と、
前記ネットワーク選択表示手段と前記リスト表示手段の操作方法を示す操作ガイドを表示する操作ガイド表示手段とを備えることを特徴とするテレビジョン受信機。
【請求項２】
複数のネットワークの番組を受信する受信手段を備えるテレビジョン受信機において、
前記複数のネットワークを示し、ネットワークを選択前と選択後では表示形態が異なるネットワーク選択表示手段と、
ユーザ操作によって選択されたネットワークに対応する現在選択可能な視聴対象情報が表示されたリストを表示するリスト表示手段と、
前記ネットワーク選択表示手段と前記リスト表示手段の操作方法を示す操作ガイドを表示する操作ガイド表示手段とを備え、
前記リスト表示手段は、現在視聴可能な番組名とチャネルボタンとチャネルのロゴを表示することを特徴とするテレビジョン受信機。
【請求項３】
複数のネットワークの番組を受信する受信手段を備えるテレビジョン受信機において、
前記複数のネットワークを示し、ネットワークを選択前と選択後では表示形態が異なるネットワーク選択表示手段と、
ユーザ操作によって選択されたネットワークに対応する現在選択可能な視聴対象情報が表示されたリストを表示するリスト表示手段と、
前記ネットワーク選択表示手段と前記リスト表示手段の操作方法を示す操作ガイドを表示する操作ガイド表示手段と、
現在時刻を示す現在時刻表示手段とを備えることを特徴とするテレビジョン受信機。
【発明の詳細な説明】
【技術分野】
【０００１】
この発明は、複数のネットワークから放送される番組を受信するテレビジョン受信機に関する。
【背景技術】
【０００２】
現在市販されているディジタルテレビジョン受信機には、一台に地上ディジタル放送受信チューナの他に、ＢＳディジタル放送受信チューナ、ＣＳディジタル放送受信用チューナ、及びアナログテレビ放送受信用チューナを備えたものがある。
【０００３】
このような受信機において、個々の放送、例えば地上ディジタル放送に関して、現在どのような番組が放送されているかについては、例えば、リモートコントローラ（リモコン）のキー操作で地上ディジタル放送を選択後、該地上ディジタル放送の電子番組ガイド（ＥＰＧ）を表示することによって、ユーザが知り得ることができる。そして、ユーザが他のネットワーク、例えば、ＢＳディジタル放送に関して、現在何が放送されているかを知るには、リモコンでＢＳディジタル放送を選択して、ＥＰＧを表示する。
【０００４】
一方、テレビジョン受信機に外部機器を接続することにより、ユーザは外部機器のコンテンツを視聴することができる。
【特許文献１】特開２００２−１７１４５４号公報
【発明の開示】
【発明が解決しようとする課題】
【０００５】
しかしながら、従来のディジタルテレビジョン受信機では、異なるネットワークの放送番組を閲覧または選択するには、ユーザがネットワークを切り換え、ＥＰＧを表示する必要があり、使い勝手の悪いものである。
【０００６】
一方、テレビジョン放送の番組がＣＲＴに表示されているとき、テレビジョン受信機に接続された外部機器のコンテンツに切り換えるには、ユーザが外部機器の入力切替ボタンを押下する必要がある。
【０００７】
それゆえに、この発明の主たる目的は、一つのガイドメニューによって複数のネットワークを簡単に選択できる、テレビジョン受信機を提供することである。
【課題を解決するための手段】
【０００８】
請求項１の発明に従うテレビジョン受信機は、複数のネットワークの番組を受信する受信手段を備えるテレビジョン受信機において、前記複数のネットワークを示し、ネットワークを選択前と選択後では表示形態が異なるネットワーク選択表示手段と、ユーザ操作によって選択されたネットワークに対応する現在選択可能な視聴対象情報が表示されたリストを表示するリスト表示手段と、前記ネットワーク選択表示手段と前記リスト表示手段の操作方法を示す操作ガイドを表示する操作ガイド表示手段とを備えることを特徴とする。
【０００９】
請求項２の発明に従うテレビジョン受信機は、複数のネットワークの番組を受信する受信手段を備えるテレビジョン受信機において、前記複数のネットワークを示し、ネットワークを選択前と選択後では表示形態が異なるネットワーク選択表示手段と、ユーザ操作によって選択されたネットワークに対応する現在選択可能な視聴対象情報が表示されたリストを表示するリスト表示手段と、前記ネットワーク選択表示手段と前記リスト表示手段の操作方法を示す操作ガイドを表示する操作ガイド表示手段とを備え、前記リスト表示手段は、現在視聴可能な番組名とチャネルボタンとチャネルのロゴを表示することを特徴とする。
【００１０】
請求項３の発明に従うテレビジョン受信機は、複数のネットワークの番組を受信する受信手段を備えるテレビジョン受信機において、前記複数のネットワークを示し、ネットワークを選択前と選択後では表示形態が異なるネットワーク選択表示手段と、ユーザ操作によって選択されたネットワークに対応する現在選択可能な視聴対象情報が表示されたリストを表示するリスト表示手段と、前記ネットワーク選択表示手段と前記リスト表示手段の操作方法を示す操作ガイドを表示する操作ガイド表示手段と、現在時刻を示す現在時刻表示手段とを備えることを特徴とする。
【発明の効果】
【００１１】
この発明によれば、ユーザが一つの操作ガイドメニュー上の任意のネットワーク選択表示手段を選択することによって、ネットワーク選択表示手段に対応するネットワークの中から所望の視聴対象情報を簡単に選択できる。
【００１２】
この発明の上述の目的，その他の目的，特徴および利点は、図面を参照して行う以下の実施例の詳細な説明から一層明らかとなろう。
【発明を実施するための最良の形態】
【００１３】
図１を参照して、アンテナ１２は、屋外において所定の方向に向けて配置されており、放送局から送られてくる地上アナログ放送信号及びディジタル放送信号を受信する。アンテナ１４は、屋外において所定の方向に向けて配置されており、ＢＳ／１１０度ＣＳ衛星から送られてくるディジタル放送信号を受信する。
【００１４】
地上ディジタルチューナ１８及びＢＳ／ＣＳディジタルチューナ２０は、映像・音声データを含む高周波ディジタル変調信号のうちから特定周波数の信号を取り出す。また、地上ディジタルチューナ１８及びＢＳ／ＣＳディジタルチューナ２０は、復調回路、逆インタリーブ回路、誤り訂正回路などを備えることにより、選択したディジタル変調信号を復調してトランスポートストリームを出力する。
【００１５】
デマルチプレクサ（ＤＥＭＵＸ）２２は、前記トランスポートストリームを、ＭＰＥＧ（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサ２２は、ビデオトランスポートパケットとオーディオトランスポートパケットをＡＶデコーダ２６に供給し、ＰＳＩに含まれるサービス情報をシステムコントローラ４２に供給する。なお、前述のごとく、トランスポートストリームには複数のチャネルが多重化されており、このなかから任意のチャネルを選択するための処理は、前記ＰＳＩから任意のチャネルがトランスポートストリーム中でどのパケットＩＤで多重化されているかといったデータを取り出すことで可能となる。また、トランスポートストリームの選定（トランスポンダの選定）もＰＳＩ／ＳＩの情報に基づいて行なうことができる。
【００１６】
ＡＶデコーダ２６は、ビデオトランスポートパケットに対してデコードを行うビデオデコーダ、及びオーディオトランスポートパケットに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路２８に出力され、音声データは音声処理回路３０に出力される。
【００１７】
映像処理回路２８は、ＡＶデコーダ２６から出力された映像データを受け取り、Ｄ／Ａ変換を行って映像信号を生成する。音声信号処理回路３０は、ＡＶデコーダ２６から出力された音声データを受け取り、アナログ音声信号を生成する。
【００１８】
地上アナログチューナ１６は、ユーザが選択したチャネルに対応する周波数の信号を選択する選局処理、選択した周波数の信号を出力する。そして、映像・音声処理回路２４は、復調処理を行いアナログの映像信号及び音声信号を生成する。
【００１９】
信号処理回路３２は、映像処理回路２８からの地上ディジタル放送に基づく映像信号と、ＢＳ／ＣＳディジタル放送に基づく映像信号と、映像・音声処理回路２４からのアナログ放送に基づく映像信号と、外部機器（図示せず）から入力される映像信号のいずれかを選択して加算器５２に出力する。音声処理回路３０からの地上ディジタル放送に基づく音声信号と、ＢＳ／ＣＳディジタル放送に基づく音声信号と、映像・音声処理回路２４からのアナログ放送に基づく音声信号と、外部機器（図示せず）から入力される音声信号のいずれかを選択して出力する。どちらを選択するかは、システムコントローラ４２からの切換信号に基づいて行う。どちらを選択するかは、システムコントローラ４２からの切換信号に基づいて行う。
【００２０】
映像出力回路３４及び音声出力回路３６は、出力抵抗や増幅器等を備えて成る。映像出力回路３４からの出力は、ＣＲＴ３８に供給される。音声処理回路３６からの出力は、スピーカ４０に供給される。
【００２１】
ＯＳＤ回路５０は、システムコントローラ４２から出力指示された文字情報に基づくビットマップデータを加算器５２に出力する。加算器５２は前記ビットマップデータを信号切換回路３２から出力された映像信号に組み込む処理を行う。ＯＳＤ回路５０により、システムコントローラ４２が受け取った前述のＰＳＩに含まれるサービス情報に基づいて、ＥＰＧ画面がＣＲＴ３８に表示される。また、図２乃至６を参照して、ＯＳＤ回路５０により、システムコントローラ４２が受け取った前述のＰＳＩに含まれるサービス情報に基づいて、複数のネットワークのチャネル及び外部機器を選択できる操作ガイドメニューがＣＲＴ３８に表示される。
【００２２】
リモコン送信機４８は、当該テレビジョン受信機１０に指令を送出するための送信機である。このリモコン送信機４８に設けられた図示しないキーを操作すると、そのキーに対応した指令を意味する信号光（リモコン信号）が図示しない発光部から送出される。リモコン受光器４６は、信号光を受光し、これを電気信号に変換してシステムコントローラ４２に与える。
システムコントローラ４２は、アナログ放送受信機能及びディジタル放送受信機能の両方に対応したコントローラであり、前記リモコン送信機４８等を用いたユーザによる番組選択処理等を行う。更に、システムコントローラ４２は、デマルチプレクサ２２にて分離されたサービス情報等をメモリ４４に格納する処理をする。
【００２３】
次に、操作ガイドメニューによる複数のネットワーク及び外部入力の操作について説明する。図７を参照して、視聴者のリモコン４８のＡボタンの押下により、たとえば図２、図３に示すような操作ガイドメニューがＣＲＴ３８に表示される。
操作ガイドメニューは、放送ネットワークを選択するためのアイコンを備え、１０１は地上アナログ放送選択用のアイコン、１０２は地上ディジタル放送選択用のアイコン、１０３はＢＳディジタル放送受信用のアイコン、１０４は１１０度ＣＳ放送受信用アイコンである。また、操作ガイドメニューのアイコンとしてはジャンル検索選択用のアイコン１０５、よくみる番組選択用のアイコン１０６、外部ビデオ信号選択用のアイコン１０７を備える。外部ビデオ信号選択用のアイコン１０７の右横のウィンドウには現在受信選局中の番組１０８が縮小されて表示されている。
【００２４】
図２は、操作ガイドメニューを表示させリモコン４８のカーソル左右ボタンを押下して「地上アナログ」放送選択用のアイコン１０１を選択した場合の表示状態を示している。アイコン１０１を選択すると、現在受信可能なチャネル番号、チャネルボタン、チャネル名からなるチャネルのリスト１１１が表示される。そして、ユーザがリモコン４８のカーソル上下ボタンを押下して所望のチャネルを選択し、Ｂボタンを押下して決定することにより、その選択した地上アナログ放送のチャネルの番組が受信される。
【００２５】
操作ガイドメニューを表示させた状態で、リモコン４８のカーソル左右ボタンを押下して「地上ディジタル」放送選択用のアイコン１０２を選択すると、図３のように現在視聴可能な地上ディジタル放送の番組リスト１１２がＣＲＴ３８に表示される。この番組リストは左からチャネル番号、チャネルボタン、チャネルのロゴ、放送中の番組名、放送時間の表示とともに、これら各チャネルが無料放送「無」、未契約有料放送「未」、契約済の有料放送「契」のいずれの放送であるかを表示している。そして、ユーザがリモコン４８のカーソル上下ボタンを押下して所望の番組を選択し、Ｂボタンを押下して決定する。これによって、地上ディジタル放送の選択された番組のチャネルが受信される。尚、番組情報を受信しているが選局できないチャネルが生じる場合があるが、そのようなチャネルは操作ガイドメニュー上では他のチャネルに比べて暗く表示されて区別されるようになっている。
【００２６】
同様に、操作ガイドメニューを表示させた状態で、リモコン４８のカーソル左右ボタンを押下して「ＢＳディジタル」放送選択用のアイコン１０３を選択すると、図４のように現在視聴可能なＢＳディジタル放送の番組リスト１１３がＣＲＴ３８に表示される。この番組リストは左からチャネル番号、チャネルボタン、チャネルのロゴ、放送中の番組名、放送時間の表示とともに、これら各チャネルが無料放送「無」、未契約有料放送「未」、契約済の有料放送「契」のいずれの放送であるかを表示している。そして、ユーザがリモコン４８のカーソル上下ボタンを押下して所望の番組を選択し、Ｂボタンを押下して決定する。これによって、ＢＳディジタル放送の選択された番組のチャネルが受信される。
【００２７】
１１０度ＣＳ放送を選択するには、操作ガイドメニューを表示させた状態で、リモコン４８のカーソル左右ボタンを押下して「１１０度ＣＳ」放送選択用のアイコン１０４を選択すると、図５のように現在視聴可能な１１０度ＣＳディジタル放送の番組リストがＣＲＴ３８に表示される。この番組リスト１１４は左からチャネル番号、チャネルボタン、チャネルのロゴ、放送中の番組名、放送時間の表示とともに、これら各チャネルが無料放送「無」、未契約有料放送「未」、契約済の有料放送「契」のいずれの放送であるかを表示している。そして、ユーザがリモコン４８のカーソル上下ボタンを押下して所望の番組を選択し、Ｂボタンを押下して決定する。これによって、１１０度ＣＳディジタル放送の選択されたチャネルの番組が受信される。
【００２８】
図６は、操作ガイドメニューを表示させ、リモコン４８のカーソル左右ボタンを押下して「外部ビデオ」信号選択用のアイコン１０７を選択した状態を示しており、現在テレビジョン受信機１０に接続されている外部機器名のリスト１１５がＣＲＴ３８に表示される。そしてユーザがリモコン４８のカーソル上下ボタンを押下して、ＤＶＤ等の所望の外部機器を選択し、Ｂボタンを押下して決定する。これによって、選択された外部入力画面に切り替わる。
【００２９】
よくみる番組選択用のアイコンを選択すると予め登録しておいた複数の番組のリストが表示されるので、この中の一つをカーソルで選択すると、その番組を選局表示できるようになっている。なお、登録される番組のネットワークは、地上ディジタル放送、ＢＳ／ＣＳディジタル放送である。具体的には、操作ガイドメニューを表示させた状態で、リモコン４８のカーソル左右ボタンを押下して「よくみる」放送選択用のアイコン１０６を選択すると、図８のように予め登録しておいた複数の番組リスト１１６がＣＲＴ３８に表示される。この番組リストは左からチャネル番号、チャネルボタン、チャネルのロゴ、放送中の番組名、放送時間の表示とともに、これら各チャネルが無料放送「無」、未契約有料放送「未」、契約済の有料放送「契」のいずれの放送であるかを表示している。そして、ユーザがリモコン４８のカーソル上下ボタンを押下して所望の番組を選択し、Ｂボタンを押下して決定する。これによって、地上、ＢＳ／ＣＳディジタル放送の選択されたチャネルの番組が受信される。
【００３０】
ここで、「よくみる」放送のチャネル登録について説明する。まず、「よくみる」に登録するチャネルを受信する。次に、リモコン４８のメニューボタンを押下すると、図９のようなメニュー画面がＣＲＴ３８に表示される。リモコン４８のカーソル左右ボタンを押下して「デジタル」メニューを選び、リモコン４８のＢボタンを押下すると、図１０のようなデジタルメニュー画面がＣＲＴ３８に表示される。リモコン４８のカーソル上下ボタンを押下して、「探す/見る/予約」の項目を選び、リモコン４８のＢボタンを押下すると、図１１のようなメニュー画面がＣＲＴ３８に表示される。リモコン４８のカーソル上下ボタンを押下して、「よくみるＣＨ登録」の項目を選び、リモコン４８のＢボタンを押下すると、図１２のようなメニュー画面がＣＲＴ３８に表示される。リモコン４８の１乃至８ボタンのいずれかを押下すると、メニュー画面の選択された番号の枠に、受信中のディジタル放送のチャネルが登録される。すでにチャネルが登録されている番号のボタンを押下すると、「○は登録されています。上書きしますか？」というメッセージが表示される（図示せず）。このときにリモコン４８のカーソル左右ボタンを押下して、「はい」（図示せず）を選択して、リモコン４８のＢボタンを押下すると、そのとき受信しているチャネルが上書きされる。なお、データ放送やラジオ放送のチャネルも登録されるようにしてもよい。
【００３１】
ジャンル検索用のアイコン１０５を選択するとジャンル項目のリストが表示される（図示せず）ので、そのリストから所望のジャンルを選択すれば、当該ジャンルの番組リスト(図示せず)が表示される。
【００３２】
以上の説明から分かるように、テレビジョン受信機１０のＯＳＤ回路５０により、複数のネットワークのチャネル及び外部機器を選択できる操作ガイドメニューがＣＲＴ３８に表示される。
【００３３】
したがって、ユーザが一つの操作ガイドメニュー上の任意のアイコンを選択することによって、該アイコンに対応するネットワークの中から所望の番組を視聴でき、さらに該アイコンに対応する外部機器のコンテンツを視聴できる。
【図面の簡単な説明】
【００３４】
【図１】本発明を実施したテレビジョン受信機の一実施例を示すブロック図である。
【図２】地上アナログ放送の操作ガイドメニューの一例を示す図解図である。
【図３】地上ディジタル放送の操作ガイドメニューの一例を示す図解図である。
【図４】ＢＳディジタル放送の操作ガイドメニューの一例を示す図解図である。
【図５】ＣＳディジタル放送の操作ガイドメニューの一例を示す図解図である。
【図６】外部機器の操作ガイドメニューの一例を示す図解図である。
【図７】リモートコントローラの一例を示す図解図である。
【図８】ユーザ登録チャネルの操作ガイドメニューの一例を示す図解図である。
【図９】所望のチャネルを登録する第一のメニューの一例を示す図解図である。
【図１０】所望のチャネルを登録する第二メニューの一例を示す図解図である。
【図１１】所望のチャネルを登録する第三のメニューの一例を示す図解図である。
【図１２】所望のチャネルを登録する第四のメニューの一例を示す図解図である。
【符号の説明】
【００３５】
１０  …  テレビジョン受信機
１６,１８,２０  …  チューナ
２２  …  デマルチプレクサ
２６  …  ＡＶデコーダ
２８  …  映像処理回路
３０  …  音声処理回路
３２  …  信号処理回路
３８  …  ＣＲＴ
４２  …  システムコントローラ
４４  …  メモリ
４８  …  リモコン
５０  …  ＯＳＤ
５２  …  加算器
【図１】
2011199885.tif 000003
【図２】
2011199885.tif 000004
【図３】
2011199885.tif 000005
【図４】
2011199885.tif 000006
【図５】
2011199885.tif 000007
【図６】
2011199885.tif 000008
【図７】
2011199885.tif 000009
【図８】
2011199885.tif 000010
【図９】
2011199885.tif 000011
【図１０】
2011199885.tif 000012
【図１１】
2011199885.tif 000013
【図１２】
2011199885.tif 000014